(57)【要約】    【課題】ナビゲーション装置などの車載情報端末において、付属のリモコンを使用せずに操作できる操作方法を提供する。    【解決手段】  ナビゲーション本体より携帯電話へ操作ガイド画面を送信し（ステップＳ３）、その操作ガイド画面を携帯電話において表示する（ステップＳ２３）。また、携帯電話の操作ボタンの操作状態を示す操作ボタン情報を携帯電話よりナビゲーション本体に送信し（ステップＳ２５）、その操作ボタン情報に基づいて判断した処理内容をナビゲーション本体において実行する（ステップＳ１４）。【選択図】図２
2005265572.tif 000002
【特許請求の範囲】
【請求項１】
画面表示手段を有する携帯端末を用いて車載情報端末を操作する車載情報端末の操作方法であって、
前記携帯端末が有する操作手段の操作状態と前記車載情報端末が実行する処理内容との関係を示す操作ガイド画面を前記車載情報端末より前記携帯端末へ送信し、
その操作ガイド画面を前記画面表示手段に表示し、
前記操作手段の操作状態を示す信号を前記携帯端末より前記車載情報端末へ送信し、
その信号に基づいて、前記車載情報端末の各種処理を実行することを特徴とする車載情報端末の操作方法。
【請求項２】
請求項１の車載情報端末の操作方法において、
前記車載情報端末は、前記携帯端末より送信される信号に基づいて前記操作手段が特定の操作状態であるか否かを判定し、特定の操作状態であると判定した場合、その操作状態に応じた情報を前記携帯端末へ送信し、
前記携帯端末は、前記車載情報端末より送信された情報を表示または音声出力することを特徴とする車載情報端末の操作方法。
【請求項３】
請求項１または２の車載情報端末の操作方法において、
前記車載情報端末は、前記携帯端末より送信される信号に基づいて前記操作手段が特定の操作状態であるか否かを判定し、特定の操作状態であると判定した場合、その操作状態に応じた情報を表示または音声出力することを特徴とする車載情報端末の操作方法。
【請求項４】
請求項２または３の車載情報端末の操作方法において、
前記特定の操作状態とは、前記操作手段において前回と同じ操作が行われなかった状態であることを特徴とする車載情報端末の操作方法。
【請求項５】
請求項１〜４のいずれかの車載情報端末の操作方法により操作される車載情報端末において、
前記画面表示手段に表示する操作ガイド画面を送信する送信手段と、
前記携帯端末より送信される前記操作手段の操作状態を示す信号を受信する受信手段と、
前記受信手段により受信された信号に基づいていずれの処理を実行するかを判断する判断手段とを備えることを特徴とする車載情報端末。
【請求項６】
請求項１〜４のいずれかの車載情報端末の操作方法により車載情報端末を操作する携帯端末で実行されるプログラムであって、
前記車載情報端末より送信される操作ガイド画面を受信する受信ステップと、
前記受信ステップにおいて受信された操作ガイド画面を前記画面表示手段に表示する表示ステップと、
前記操作手段の操作状態を示す信号を送信する送信ステップとを有する携帯端末用プログラム。
【請求項７】
複数の操作ボタンと、
車載情報端末より送信される信号を受信して、前記複数の操作ボタンのいずれかとその車載情報端末が実行する処理内容との関係を示す操作ガイド画面を表示する画面表示手段とを備えることを特徴とする携帯電話。
【請求項８】
請求項７の携帯電話において、
前記複数の操作ボタンのいずれかに対して特定の操作が行われた場合、その操作ボタンに応じた情報を表示または音声出力することを特徴とする携帯電話。
【発明の詳細な説明】
【技術分野】
【０００１】
本発明は、ナビゲーション装置などの車載情報端末における操作方法に関する。
【背景技術】
【０００２】
付属のリモートコントローラ（以下、リモコンという）を用いてナビゲーション装置を操作することが従来から知られている（非特許文献１）。
【０００３】
【非特許文献１】特許庁  標準技術集  「カーナビゲーション装置のユーザーインターフェイス」主分類４−Ａ−１
【発明の開示】
【発明が解決しようとする課題】
【０００４】
上記のような付属のリモコンを用いてナビゲーション装置の操作を行う場合、リモコンを付属することによってナビゲーション装置のコストアップを招いている。
【課題を解決するための手段】
【０００５】
請求項１の発明による車載情報端末の操作方法は、画面表示手段を有する携帯端末を用いて車載情報端末を操作する車載情報端末の操作方法であって、携帯端末が有する操作手段の操作状態と車載情報端末が実行する処理内容との関係を示す操作ガイド画面を車載情報端末より携帯端末へ送信し、その操作ガイド画面を画面表示手段に表示し、操作手段の操作状態を示す信号を携帯端末より車載情報端末へ送信し、その信号に基づいて、車載情報端末の各種処理を実行するものである。
請求項２の発明は、請求項１の車載情報端末の操作方法において、車載情報端末は、携帯端末より送信される信号に基づいて操作手段が特定の操作状態であるか否かを判定し、特定の操作状態であると判定した場合、その操作状態に応じた情報を携帯端末へ送信し、携帯端末は、車載情報端末より送信された情報を表示または音声出力するものである。
請求項３の発明は、請求項１または２の車載情報端末の操作方法において、車載情報端末は、携帯端末より送信される信号に基づいて操作手段が特定の操作状態であるか否かを判定し、特定の操作状態であると判定した場合、その操作状態に応じた情報を表示または音声出力するものである。
請求項４の発明は、請求項２または３の車載情報端末の操作方法において、特定の操作状態とは、操作手段において前回と同じ操作が行われなかった状態であることとするものである。
請求項５の発明は、請求項１〜４のいずれかの車載情報端末の操作方法により操作される車載情報端末において、画面表示手段に表示する操作ガイド画面を送信する送信手段と、携帯端末より送信される操作手段の操作状態を示す信号を受信する受信手段と、受信手段により受信された信号に基づいていずれの処理を実行するかを判断する判断手段とを備えるものである。
請求項６の発明による携帯端末用プログラムは、請求項１〜４のいずれかの車載情報端末の操作方法により車載情報端末を操作する携帯端末で実行されるプログラムであって、車載情報端末より送信される操作ガイド画面を受信する受信ステップと、受信ステップにおいて受信された操作ガイド画面を画面表示手段に表示する表示ステップと、操作手段の操作状態を示す信号を送信する送信ステップとを有するものである。
請求項７の発明による携帯電話は、複数の操作ボタンと、車載情報端末より送信される信号を受信して、複数の操作ボタンのいずれかとその車載情報端末が実行する処理内容との関係を示す操作ガイド画面を表示する画面表示手段とを備えるものである。
請求項８の発明は、請求項７の携帯電話において、複数の操作ボタンのいずれかに対して特定の操作が行われた場合、その操作ボタンに応じた情報を表示または音声出力するものである。
【発明の効果】
【０００６】
本発明によれば、車載情報端末より携帯端末へ操作ガイド画面を送信し、その操作ガイド画面を携帯端末において表示する。また、携帯端末の操作手段の操作状態を示す信号を携帯端末より車載情報端末に送信し、その信号に基づいて車載情報端末の各種処理を実行することとした。このようにしたので、ナビゲーション装置などの車載情報端末において、付属のリモコンがなくてもユーザが所有している携帯端末を用いて操作できる。
【発明を実施するための最良の形態】
【０００７】
本発明の一実施形態によるナビゲーション装置の構成を図１に示す。このナビゲーション装置は、ナビゲーション本体１と携帯電話２が相互に赤外線通信を行うことにより、携帯電話２をナビゲーション本体１のリモコンとして用いてナビゲーション本体１の操作を行うものである。ナビゲーション本体１は車両に搭載されており、設定された目的地までの推奨経路を探索して道路地図上に表示し、自車両を目的地まで誘導することができる。ナビゲーション本体１は、制御回路１１、ＲＯＭ１２、ＲＡＭ１３、現在地検出装置１４、画像メモリ１５、表示モニタ１６、赤外線送受信部１７およびディスクドライブ１８を有している。ディスクドライブ１８には、地図データが記録されたＤＶＤ−ＲＯＭ１９が装填される。
【０００８】
制御回路１１は、マイクロプロセッサおよびその周辺回路からなり、ＲＡＭ１３を作業エリアとしてＲＯＭ１２に格納された制御プログラムを実行することにより、各種の処理や制御を行う。この制御回路１１の処理により、ＤＶＤ−ＲＯＭ１９に記録された地図データに基づいて、道路地図が表示モニタ１６に表示されたり、推奨経路の探索が行われたりする。
【０００９】
現在地検出装置１４は、自車両の現在地を検出する装置であり、たとえば、自車両の進行方位を検出する振動ジャイロ１４ａ、車速を検出する車速センサ１４ｂ、ＧＰＳ衛星からのＧＰＳ信号を検出するＧＰＳセンサ１４ｃ等からなる。ナビゲーション本体１は、この現在地検出装置１４を用いて自車両の現在地を検出することにより、自車両が地図上のどの地点を走行しているかを求めて、推奨経路を探索するときの経路探索開始点を決定することができる。
【００１０】
画像メモリ１５は、表示モニタ１６に表示するための画像データを格納する。この画像データは、道路地図描画用データや各種の図形データ等からなり、それらは制御回路１１の処理によって作成される。表示モニタ１６は、制御回路１１からの制御により、画像メモリ１５に格納された画像データを用いて、道路地図やルート情報画面を表示する。
【００１１】
赤外線送受信部１７は、携帯電話２との間で赤外線通信を行うために用いられる通信ポートである。携帯電話２から送信された赤外線を赤外線送受信部１７により受信すると、その送信データ内容が赤外線送受信部１７から制御回路１１に送られる。これにより、携帯電話２からの送信データ内容をナビゲーション本体１において認識できる。また、制御回路１１からの出力データを赤外線送受信部１７によって赤外線出力することで、ナビゲーション本体１から携帯電話２へデータ送信を行う。携帯電話２は、この赤外線を受信することで、ナビゲーション本体１からの送信データ内容を認識できる。なお、赤外線送受信部１７と携帯電話２との赤外線通信には、一般に規格化されている通信方法、たとえばオブジェクト交換プロトコル（ＯＢＥＸ）などを用いることができる。
【００１２】
ディスクドライブ１８は、制御回路１１の制御により、装填されたＤＶＤ−ＲＯＭ１９から地図データを読み出す。この地図データには、目的地までの推奨経路を演算するために用いられる経路計算データや、交差点名称、道路名称など、推奨経路に従って自車両を目的地まで誘導するために用いられる経路誘導データ、道路を表す道路データ、さらには河川や鉄道、地図上の各種施設（ランドマーク）など、道路以外の地図形状を表す背景データなどが含まれている。なお、ここではＤＶＤ−ＲＯＭを用いた例について説明しているが、ＤＶＤ−ＲＯＭ以外の他の記録メディア、たとえばＣＤ−ＲＯＭやハードディスクなどより、地図データを読み出すこととしてもよい。
【００１３】
ナビゲーション本体１は、ユーザにより目的地が設定されると、現在地検出装置１４により検出された現在地を経路探索開始点として、目的地までの経路演算を前述の経路計算データに基づいて所定のアルゴリズムにより行う。こうして求められた推奨経路は、その表示形態、たとえば表示色などを変えることによって、他の道路とは区別して道路地図上に表される。これにより、ユーザは道路地図上の推奨経路を画面上で認識することができる。また、この推奨経路に従って自車両が走行できるよう、ナビゲーション本体１は、ユーザに対して画像や音声などによる進行方向指示を行うことにより、自車両を誘導する。このようにして、自車両を目的地まで案内する。
【００１４】
携帯電話２は、ユーザが所有している一般に市販されている携帯電話であって、表示モニタや操作ボタン（いずれも不図示）などを備えると共に、外部との赤外線送受信機能を有している。この赤外線送受信機能を用いることにより、ナビゲーション本体１との間で前述のようにして赤外線通信を行うことができる。また、携帯電話２は不図示のアプリケーションサーバと公衆通信回線を介して接続することにより、ナビゲーション本体１を操作するための操作アプリケーションをダウンロードすることができる。
【００１５】
ダウンロードした操作アプリケーションを携帯電話２において起動させることで、ナビゲーション本体１と携帯電話２は次に説明する処理をそれぞれ実行する。これにより、ナビゲーション本体１と携帯電話２の間で赤外線通信が行われ、ナビゲーション本体１の操作を携帯電話２により行うことができるようになる。
【００１６】
携帯電話２をナビゲーション本体１のリモコンとして用いてナビゲーション本体１の操作を行うときに、ナビゲーション本体１と携帯電話２においてそれぞれ実行される処理のフローチャートを図２に示す。図２のステップＳ１からＳ１４までの処理はナビゲーション本体１の制御部１１において実行され、ステップＳ２１からＳ３２までの処理は携帯電話２において実行される。なお、以下の説明においてナビゲーション本体１と携帯電話２との間で行われる情報の送受信には、前述した赤外線通信が用いられる。
【００１７】
はじめに、上記のようにして携帯電話２にダウンロードした操作アプリケーションを起動させることにより、図２のステップＳ２１の処理が携帯電話２において実行される。ステップＳ２１では、携帯電話２からナビゲーション本体１に対して、携帯電話２の操作ボタンのそれぞれがナビゲーション本体１のどの処理に対応しているかを示す画面（以下、操作ガイド画面という）の取得要求を送信する。ナビゲーション本体１は、ステップＳ１においてこの操作ガイド画面取得要求を受信したか否かを判定し、受信した場合にはステップＳ２へ進む。
【００１８】
ナビゲーション本体１は、ステップＳ２において、前述の操作ガイド画面を表示モニタ１６に表示する。ステップＳ３では、この操作ガイド画面を携帯電話２へ送信する。
【００１９】
携帯電話２は、ステップＳ２２において、上記に説明したナビゲーション本体１からの操作ガイド画面を受信したか否かを判定する。受信した場合はステップＳ２３へ進み、ステップＳ２３においてその受信した操作ガイド画面を表示する。一方、操作ガイド画面を所定の受信待機時間内に受信できなかった場合は、ステップＳ２２からステップＳ２１へ戻って、ナビゲーション本体１に対して再び操作ガイド画面取得要求の送信を行う。
【００２０】
ステップＳ２とＳ２３でナビゲーション本体１と携帯電話２においてそれぞれ表示される操作ガイド画面の例を、図３（ａ）および（ｂ）に示す。（ａ）は、ナビゲーション本体１において操作ガイド画面３０を地図に重ねて表示した様子を示している。また、（ｂ）は同じ操作ガイド画面３０を携帯電話２に表示した様子を示している。なお、表示モニタ１６に表示したものと異なる操作ガイド画面をナビゲーション本体１から携帯電話２に送信し、ナビゲーション本体１と携帯電話２で異なる操作ガイド画面が表示されるようにしてもよい。
【００２１】
図３（ａ）および（ｂ）の操作ガイド画面３０では、携帯電話２の操作ボタンのうち、カーソルボタンが地図のスクロール操作に対応し、「１」から「９」の数字ボタンのそれぞれが図に示す各操作に対応していることを示している。たとえば、数字ボタン「１」はメニュー画面の表示に対応している。なお、ここで説明した内容に操作ガイド画面は限定されるものではなく、様々な操作ガイド画面とすることができる。
【００２２】
上記のステップＳ２３において操作ガイド画面を表示した後、携帯電話２は次のステップＳ２４において、ユーザによっていずれかの操作ボタンが押されたかを判定する。いずれかの操作ボタンが押された場合には次のステップＳ２５へ進み、押されない間はこのステップＳ２４に留まる。ステップＳ２５では、どの操作ボタンが押されたかを表す操作ボタン情報をナビゲーション本体１に送信する。
【００２３】
ナビゲーション本体１は、ステップＳ４において、上記に説明したステップＳ２５で携帯電話２から送信された操作ボタン情報を受信したか否かを判定する。受信した場合は次のステップＳ５へ進み、受信しない間はこのステップＳ４に留まる。ステップＳ５では、受信した操作ボタン情報に基づいて、携帯電話２において前回と同じ操作ボタンがユーザに押されたか否かを判定する。受信した操作ボタン情報が前回受信したときと同じものである場合は、同じ操作ボタンが押されていると判定してステップＳ８へ進む。一方、図２の処理フローを実行してから最初に操作ボタン情報を受信した場合や、前回とは異なる操作ボタン情報を受信した場合は、同じ操作ボタンが押されていないと判定してステップＳ６へ進む。
【００２４】
先に、ステップＳ５からステップＳ６へ進んだ場合、すなわち同じ操作ボタンが押されなかった場合から順に説明する。この場合、以下のようにして、ユーザに押された操作ボタンについての詳細な説明（以下、ボタン説明という）を行う。ナビゲーション本体１において、ステップＳ６では、ステップＳ４で受信した操作ボタン情報に対応するボタン説明を表示モニタ１６に表示する。ステップＳ７では、そのボタン説明の情報を携帯電話２に対して送信する。ステップＳ７を実行した後はステップＳ４へ戻り、前述したような処理を繰り返す。
【００２５】
携帯電話２は、ステップＳ２６において、ナビゲーション本体１から送信される上記のボタン説明情報、または後で説明する処理実行情報あるいはモード移行通知のいずれかを受信したか判定し、受信したときに次のステップＳ２７へ進む。ステップＳ２７では、ステップＳ２６において受信したのがボタン説明情報であったか否かを判定する。上記に説明したステップＳ７が実行されることにより、ナビゲーション本体１からボタン説明情報が携帯電話２に送信された場合、携帯電話２はそのボタン説明情報をステップＳ２６で受信することによって、ステップＳ２７を肯定判定してステップＳ２８へ進む。このとき、ステップＳ２８において、受信したボタン説明情報に基づいてボタン説明を表示する。ステップＳ２８を実行した後はステップＳ２４へ戻り、前述したような処理を繰り返す。
【００２６】
ステップＳ６とＳ２８でナビゲーション本体１と携帯電話２においてそれぞれ表示されるボタン説明の例を、図３（ｃ）および（ｄ）に示す。（ｃ）は、ナビゲーション本体１において、（ａ）の操作ガイド画面３０と同様にボタン説明４０を地図に重ねて表示した様子を示している。また、（ｄ）は携帯電話２に同じボタン説明４０を表示した様子を示している。なお、操作ガイド画面と同様に、ナビゲーション本体１と携帯電話２で異なるボタン説明が表示されるようにしてもよい。
【００２７】
図３（ｃ）および（ｄ）のボタン説明４０は、携帯電話２において地図縮尺の変更に対応する数字ボタン「６」を押したときに表示されるものを示している。ここには、もう一度数字ボタン「６」を押すことにより地図縮尺の変更を実行すると、カーソルボタンの上下で地図縮尺を変更でき、上を押すと広域地図、下を押すと詳細地図が表示されることが説明されている。なお、ここで説明した内容にボタン説明は限定されず、様々なボタン説明とすることができる。
【００２８】
次に、ナビゲーション本体１においてステップＳ５からステップＳ８へ進んだ場合、すなわち同じ操作ボタンが押された場合について説明する。この場合、以降に説明するようにして、ユーザに押された操作ボタンに応じた処理をナビゲーション本体１において実行する。ステップＳ８では、文字入力を行うか否かを判定する。この判定は、ユーザが携帯電話２においてどの操作ボタンを押したかによって行う。すなわち、文字入力が必要となるような処理（たとえば、目的地設定など）に対応している操作ボタンが押された場合は、文字入力を行うと判定してステップＳ９へ進む。一方、文字入力が必要ない処理に対応している操作ボタンが押された場合は、ステップＳ１３へ進む。
【００２９】
ステップＳ８からＳ９へ進んだ場合は、ステップＳ９において図３（ｅ）に示すような文字入力待機画面５０を表示モニタ１６に表示した後、次のステップＳ１０において、携帯電話２に対して文字入力モードへの移行を通知するためのモード移行通知を送信する。その後、ナビゲーション本体１はステップＳ１１において携帯電話２からの文字入力待機状態となる。
【００３０】
このとき携帯電話２は、ナビゲーション本体１から送信されたモード移行通知をステップＳ２６において受信することにより、次のステップＳ２７へ進む。この場合、受信したのがモード移行通知であるため、ステップＳ２７が否定判定されてステップＳ２９へ進む。ステップＳ２９では、ステップＳ２６においてナビゲーション本体１から受信したのがモード移行通知であったか否かを判定する。この場合ステップＳ２９は肯定判定され、次のステップＳ３０へ進む。
【００３１】
ステップＳ３０では、図３（ｆ）に示すような文字入力画面６０を表示して文字入力モードを実行することにより、ユーザからの文字入力を受け付ける。この文字入力モードは、本発明の操作アプリケーションとは別に、メール作成などのために携帯電話２に予め搭載されている機能である。なお、文字入力モードにおいて実行する具体的な処理内容については、本発明に直接関係しないため説明を省略する。ユーザからの文字入力が完了するまでの間は、ステップＳ３１からステップＳ３０へ戻って文字入力モードを繰り返し実行し、文字入力が完了したときにステップＳ３１からステップＳ３２へ進む。ステップＳ３２では、入力された文字の情報をナビゲーション本体１に対して送信する。ステップＳ３２において入力文字情報を送信した後は、ステップＳ２４へ戻って上記に説明したような処理を繰り返す。
【００３２】
ナビゲーション本体１は、ステップＳ１１において、上記のステップＳ３２で携帯電話２から送信された入力文字情報を受信したか否かを判定する。受信した場合は次のステップＳ１２へ進み、受信しない間はこのステップＳ１１に留まる。ステップＳ１２では、受信した入力文字情報に基づいてユーザが入力した文字を判断し、その入力文字を用いた処理、たとえば目的地設定などを実行する。なお、ここで実行する処理の具体的な内容については、本発明に直接関係しないため説明を省略する。ステップＳ１２を実行した後はステップＳ４へ戻り、前述したような処理を繰り返す。
【００３３】
一方、ステップＳ８からステップＳ１３へ進んだ場合は、ステップＳ１３において、押された操作ボタンに対応する処理を実行することを示す処理実行情報を携帯電話２に対して送信する。その後、押された操作ボタンに対応する処理をステップＳ１４において実行する。この処理内容には様々なものがあり、たとえば前述した地図縮尺の変更などが含まれる。なお、ここで実行する処理の具体的な内容については、本発明に直接関係しないため説明を省略する。ステップＳ１４を実行した後はステップＳ４へ戻り、前述したような処理を繰り返す。
【００３４】
このとき携帯電話２は、ナビゲーション本体１から送信された処理実行情報をステップＳ２６において受信することにより、次のステップＳ２７へ進む。この場合、受信したのが処理実行情報であるため、ステップＳ２７とステップＳ２９が共に否定判定される。その結果、ステップＳ２９以降の処理を実行せずに、ステップＳ２４へ戻って上記に説明したような処理を繰り返す。
【００３５】
以上説明した実施の形態によれば、次の作用効果を奏する。
（１）ナビゲーション本体１より携帯電話２へ操作ガイド画面を送信し（ステップＳ３）、その操作ガイド画面を携帯電話２において表示する（ステップＳ２３）。また、携帯電話２の操作ボタンの操作状態を示す操作ボタン情報を携帯電話２よりナビゲーション本体１に送信し（ステップＳ２５）、その操作ボタン情報に基づいて判断した処理内容をナビゲーション本体１において実行する（ステップＳ１４）こととした。このようにしたので、携帯電話を用いてナビゲーション装置を操作することができ、リモコンを付属する必要がない。
【００３６】
さらに、携帯電話２の操作ボタンのそれぞれがナビゲーション本体１のどの処理に対応しているかを示す操作ガイド画面を携帯電話２に表示することとしているので、ユーザはこの操作ガイド画面を見ながら、容易にナビゲーション装置の操作を行うことができる。
【００３７】
（２）ナビゲーション本体１は、携帯電話２より送信された操作ボタン情報に基づいて、前回と同じ操作ボタンが押されたか否かを判定し（ステップＳ５）、同じ操作ボタンが押されなかった場合は、押された操作ボタンについてのボタン説明を表示する（ステップＳ６）とともに、そのボタン説明情報を携帯電話２に送信する（ステップＳ７）。携帯電話２は、送信されたボタン説明情報を受信してボタン説明を画面表示する（ステップＳ２８）こととした。このようにしたので、押された操作ボタンによって実行されるナビゲーション装置の処理内容について、その処理を実行する前に詳細な説明をユーザは知ることができ、間違えずに操作することができる。
【００３８】
なお、既存の携帯電話には、ナビゲーション装置のリモコンとして使用するために必要な機能、たとえば通信機能や画像表示機能、各種アプリケーション実行機能などを有しているものがある。したがって、このような携帯電話を用いて、上記の実施形態で説明したような処理を実行することができる。その結果、ナビゲーション装置の付属リモコンを用いて操作する従来の操作方法に比べて、操作ガイド機能を簡単かつ低コストで実現することができ、さらにユーザにとっては、携帯電話からリモコンに持ち替える手間を省くこともできる。また、ナビゲーション装置のバージョンアップ等にも柔軟に対応することができる。本発明によれば、上記の作用効果に加えて、このような効果が得られる。
【００３９】
なお、上記の実施の形態では、ナビゲーション本体１と携帯電話２においてボタン説明を画面表示していたが、このうちいずれか一方または両方を音声出力してもよい。さらに、ナビゲーション本体１と携帯電話２のいずれか一方のみでボタン説明を行うようにしてもよい。
【００４０】
また、上記の実施の形態では、ナビゲーション本体１と携帯電話２のそれぞれで１種類の操作ガイド画面しか表示されない例について説明したが、ナビゲーション本体１の処理状態に応じて、操作ガイド画面の内容を変えるようにしてもよい。このとき、処理状態に応じて、携帯電話２の操作ボタンとそれによって実行されるナビゲーション本体１の処理内容との対応関係を変化させるようにし、それに応じて異なる操作ガイド画面を表示してもよい。
【００４１】
さらに上記の実施の形態では、前回と同じ操作ボタンが携帯電話２において押されなかったときにボタン説明を行うこととしていたが、これ以外の操作状態のときにボタン説明を行うこととしてもよい。たとえば、同じ操作ボタンが一定時間内に２回連続で押されたときにボタン説明を行うようにすることができる。このようにすれば、ユーザは必要なときにのみボタン説明を行わせることができる。ボタン説明が不要なときは、操作ボタンを１回押すことにより、ボタン説明なしでナビゲーション本体１を操作する。
【００４２】
上記の実施の形態では、赤外線通信を用いてナビゲーション本体１と携帯電話２との間の通信を行っていたが、これを他の通信方法により行ってもよい。このとき、無線通信あるいは有線通信のどちらでもよい。
【００４３】
上記の実施の形態では、車載情報端末をナビゲーション本体１により実現し、携帯端末を携帯電話２により実現している。しかし、本発明はこの内容に限定されない。たとえば、テレマティクス装置やオーディオ装置などの車載情報端末において適用してもよいし、パソコンやＰＤＡ（Personal Digital Assistance）などの携帯端末を用いることとしてもよい。本発明は上記実施の形態に限定されるものではなく、本発明の技術的思想の範囲内で考えられるその他の態様も本発明の範囲内に含まれる。
【図面の簡単な説明】
【００４４】
【図１】本発明の一実施形態によるナビゲーション装置の構成を示すブロック図である。
【図２】ナビゲーション本体の操作を行うときにナビゲーション本体と携帯電話において実行される処理のフローチャートである。
【図３】ナビゲーション本体と携帯電話に表示される操作ガイド画面、ボタン説明、文字入力待機画面および文字入力画面の例を示した図である。
【符号の説明】
【００４５】
１  ナビゲーション装置
２  携帯電話
１１  制御回路
１２  ＲＯＭ
１３  ＲＡＭ
１４  現在地検出装置
１５  画像メモリ
１６  表示モニタ
１７  赤外線送受信部
１８  ディスクドライブ
１９  ＤＶＤ−ＲＯＭ
【図１】
2005265572.tif 000003
【図２】
2005265572.tif 000004
【図３】
2005265572.tif 000005